(57)【要約】【課題】本願は、搬送路上の複数箇所に離散的に載せられた容器をベルトコンベアの終端側に寄せ集め可能でありながら、ベルトコンベアの終端側に設けられた昇降装置へベルトコンベアからスムーズに乗り移らせることが可能な食器回収システムおよび昇降装置を開示する。【解決手段】本発明は、食器回収システムであって、食器を投入可能な容器が載置されるベルトコンベアと、ベルトコンベアの終端側に設置されており、ベルトコンベアから繰り出された容器が乗り移る昇降部を昇降させる昇降装置と、ベルトコンベアの終端に延設されており、ベルトコンベアから繰り出されて昇降部へ乗り移る容器を支持可能なローラ群と、を備え、ローラ群は、ローラ群が有する少なくとも何れかのローラであって、ベルトコンベアから繰り出される容器が進行方向へ進むように回転する駆動ローラを有する。【選択図】図３
2020006042.tif 000002
【特許請求の範囲】
【請求項１】
食器を投入可能な容器が載置されるベルトコンベアと、
前記ベルトコンベアの終端側に設置されており、前記ベルトコンベアから繰り出された容器が乗り移る昇降部を昇降させる昇降装置と、
前記ベルトコンベアの終端に延設されており、前記ベルトコンベアから繰り出されて前記昇降部へ乗り移る容器を支持可能なローラ群と、を備え、
前記ローラ群は、前記ローラ群が有する少なくとも何れかのローラであって、前記ベルトコンベアから繰り出される容器が進行方向へ進むように回転する駆動ローラを有する、
食器回収システム。
【請求項２】
前記ローラ群は、
前記ベルトコンベアの終端側から順に配列される遊転式の複数の遊転ローラと、
前記複数の遊転ローラよりも前記昇降装置側に配置される前記駆動ローラと、を有する、
請求項１に記載の食器回収システム。
【請求項３】
前記ベルトコンベアと前記昇降部との間に配置されており、前記ベルトコンベアから繰り出される容器の進路上にストッパを出し入れするストッパー出し入れ装置を更に備える、
請求項１または２に記載の食器回収システム。
【請求項４】
前記ベルトコンベアの終端に容器があり且つ前記昇降部に容器が無い場合、前記ベルトコンベアと前記駆動ローラを作動させて前記ベルトコンベアの終端にあった容器を前記昇降部へ乗り移らせた後、前記昇降装置に前記昇降部を上昇させる制御装置を更に備える、
請求項１から３の何れか一項に記載の食器回収システム。
【請求項５】
前記昇降装置は、前記昇降部が昇降する空間の上部を横切るセンサ光により物体の有無を検知する光学式センサを有しており、前記光学式センサが物体を検知すると前記昇降部の上昇を停止する、
請求項１から４の何れか一項に記載の食器回収システム。
【請求項６】
前記ベルトコンベアは、前記容器を一端側と他端側の両方向へ搬送可能であり、
前記昇降装置は、前記ベルトコンベアの両端側に各々設けられている、
請求項１から５の何れか一項に記載の食器回収システム。
【請求項７】
食器を投入可能な容器が載置されるベルトコンベアの終端側に設置される昇降装置であって、
前記ベルトコンベアから繰り出された容器が乗り移る昇降部と、
前記昇降部を昇降させる昇降ユニットと、
前記ベルトコンベアから繰り出されて前記昇降部へ乗り移る容器を支持し、前記ベルトコンベアから繰り出される容器が進行方向へ進むように回転する駆動ローラと、を備える、
昇降装置。
【発明の詳細な説明】
【技術分野】
【０００１】
本発明は、食器回収システムおよび昇降装置に関する。
【背景技術】
【０００２】
近年は労働者の確保が社会的に困難となってきており、飲食店においても、例えば、使用済みの食器を客席から厨房へ搬送する搬送機器等の自動機が普及している（例えば、特許文献１−２を参照）。
【先行技術文献】
【特許文献】
【０００３】
【特許文献１】特開２０１３−０１８５７１号公報
【特許文献２】特開２００９−１３１２９２号公報
【発明の概要】
【発明が解決しようとする課題】
【０００４】
使用済みの食器を店内で搬送する装置の形態としては、例えば、客席が並ぶエリアと厨房のエリアとの境界に沿って延在するベルトコンベアに、食器が投入されたバスボックスを載せて搬送するもの、客席沿いに設けられた搬送用のベルトコンベアに食器を直接載せて搬送するもの、客席沿いに設けられた水路に食器を投入して水流で搬送するもの等の各種形態がある。しかし、客席沿いに設けられた搬送用のベルトコンベアに食器を直接載せて搬送する形態の場合には、ベルトに食器を一纏めにして載せることができない。また、後者の水流を用いた形態の場合には、水路が食器で詰まるのを防ぐために、水路に食器を少量ずつ投入する必要がある。
【０００５】
そこで、客席に残る使用済みの食器を速やかに片付け可能でありながら、食器を客席から厨房へ運ぶ作業を省力化する方策として、上述したいわゆるバスボックスと呼ばれる上部開放型の容器に食器を投入し、店内に設置されたベルトコンベアで当該容器を搬送することが考えられる。このようなベルトコンベアを店内に設置する場合、衛生上の都合、店舗内の美観、店舗内に設置される他の機器とのスペースの都合、その他各種の理由により、バスボックスを載せる搬送面が床に比較的近い位置となるように設計される。よって、ベルトコンベアの終端に到着したバスボックス内の食器を洗浄する場合、当該バスボックスをベルトコンベアから持ち上げる作業が必要となる。
【０００６】
しかし、上述したように近年は労働者の確保が困難となりつつあるため、ベルトコンベアの終端に到着したバスボックスを持ち上げる作業についても自動化が望まれる。そこで、ベルトコンベアの終端にバスボックスを上げる昇降装置を設けることが考えられる。ところが、使用済みの食器をバスボックスで搬送するベルトコンベアの搬送路上には複数のバスボックスが載せられることがある。終端に昇降装置が設けられたベルトコンベアにおいて、搬送路上に複数のバスボックスが載せられた場合、ベルトコンベアの終端に近いバスボックスから順に昇降装置へ乗り移ることになる。
【０００７】
また、ベルトコンベアの搬送路上には、使用済みの食器が投入されたバスボックスが複数箇所に離散的に載せられることがある。しかし、ベルトコンベアは、終端に位置するバスボックスが搬送路上から除去されないと、ベルトを作動させることができない。よって、終端に昇降装置が設けられたベルトコンベアでは、ベルトコンベアの終端に位置するバスボックスが昇降装置へ乗り移らないと、ベルトを作動させることができない。したがって、バスボックスが搬送路上の複数箇所に離散的に載せられると、ベルトコンベアの終端
への到着に比較的長い時間を要するバスボックスが生ずることがある。そこで、ベルトコンベアの終端にストッパを設けておき、バスボックスが昇降装置へ乗り移ることができない状態においてはストッパでバスボックスの進行を阻んだ状態でベルトコンベアを作動させ、搬送路上の複数箇所に離散的に載せられたバスボックスをベルトコンベアの終端側に寄せ集めることが考えられる。この場合、ストッパは、ベルトコンベアの終端と昇降装置との間で搬送路上に出し入れされることになる。
【０００８】
ところで、ベルトコンベアの終端にあるバスボックスを昇降装置へ乗り移らせるには、当該バスボックスに進行方向の力を与える必要がある。その方法の一つとして、例えば、ベルトコンベアを作動させることが考えられる。しかし、上述したように、複数のバスボックスがベルトコンベアの終端側に寄せ集められた状態でベルトコンベアを作動させると、各バスボックスが隙間無く連なってベルトコンベア側から昇降装置側へ移動することになるため、昇降装置に乗り移らせるべきバスボックスと、昇降装置の手前で待機させておくべきバスボックスとを隔てることが難しい。また、ストッパによって進行が止められたバスボックスが載っている状態のベルトコンベアを動かし続けるには、バスボックスの底面とベルトコンベアの搬送面との間に生ずる摩擦力に対抗できる大きさの動力をベルトコンベアの駆動部が発揮する必要があり、駆動部の大型化に迫られる虞がある。
【０００９】
そこで、例えば、ベルトコンベアの終端と昇降装置との間に遊動可能なローラを一乃至複数個設けておき、ストッパによって進行を止められた状態のバスボックスをこれらのローラで支持する形態を採ることが考えられる。しかしながら、このような形態においては、ストッパによって進行を止められていたバスボックスを昇降装置へ乗り移らせるべく、ストッパを搬送路上から退避させてベルトコンベアを作動させても、当該バスボックスがローラ上で停まってしまい、当該バスボックスが昇降装置へ乗り移らない虞がある。
【００１０】
そこで、本願は、搬送路上の複数箇所に離散的に載せられた容器をベルトコンベアの終端側に寄せ集め可能でありながら、ベルトコンベアの終端側に設けられた昇降装置へベルトコンベアからスムーズに乗り移らせることが可能な食器回収システムおよび昇降装置を開示する。
【課題を解決するための手段】
【００１１】
上記課題を解決するため、本発明では、食器を投入可能な容器が載置されるベルトコンベアから繰り出された容器を昇降部に載せて昇降させる昇降装置を設けると共に、ベルトコンベアの終端に延設されたローラ群のうち少なくとも何れかのローラを駆動ローラとした。
【００１２】
詳細には、本発明は、食器回収システムであって、食器を投入可能な容器が載置されるベルトコンベアと、ベルトコンベアの終端側に設置されており、ベルトコンベアから繰り出された容器が乗り移る昇降部を昇降させる昇降装置と、ベルトコンベアの終端に延設されており、ベルトコンベアから繰り出されて昇降部へ乗り移る容器を支持可能なローラ群と、を備え、ローラ群は、ローラ群が有する少なくとも何れかのローラであって、ベルトコンベアから繰り出される容器が進行方向へ進むように回転する駆動ローラを有する。
【００１３】
ここで、ベルトコンベアの終端とは、ベルトコンベアが形成する搬送路の進行方向側の端部付近の領域を意味するものであり、例えば、ベルトコンベアに接する部位、或いは、ベルトコンベアのうちの特定の部位に限定されるものではない。また、昇降とは、上昇と下降の少なくとも何れかが可能であることを意味するものであり、例えば、昇降部の上昇と下降の両方を実現できるものに限定されるものではない。
【００１４】
上記の食器回収システムであれば、ベルトコンベアの終端側に昇降装置が備わっている
ため、スタッフは、上体を下すことなく容器を持ち上げることができる。よって、上体を下ろして容器を持ち上げる場合に比べると、容器に投入されている使用済みの食器を洗浄する作業を行うスタッフの負担を低減することが可能となる。また、持ち上げる容器の取り出し高さが高くなることで、作業性が向上し、より早く容器の処理を行うことができる。
【００１５】
そして、上記の食器回収システムであれば、使用済みの食器を容器に投入してベルトコンベアで搬送する形態となっているため、食器を一纏めにして搬送することができる。また、上記の食器回収システムは、使用済みの食器をベルトコンベアで搬送する形態であるため、使用済みの食器を速やかに片付け可能でありながら、食器を運ぶ作業を省力化することができる。
【００１６】
そして、上記の食器回収システムでは、ベルトコンベアの終端に延設される複数のローラのうち少なくとも何れかが駆動ローラであるため、ベルトコンベアの終端に容器が隙間なく連なった状態となっても、昇降装置に最も近い容器から順に１つずつ昇降装置の昇降部へ乗り移らせることができる。したがって、上記の食器回収システムであれば、搬送路上の複数箇所に離散的に載せられた容器をベルトコンベアの終端側に寄せ集め可能でありながら、ベルトコンベアの終端側に設けられた昇降装置へ容器をベルトコンベアからスムーズに乗り移らせることが可能となる。
【００１７】
なお、ローラ群は、ベルトコンベアの終端側から順に配列される遊転式の複数の遊転ローラと、複数の遊転ローラよりも昇降装置側に配置される駆動ローラと、を有するものであってもよい。このようなローラ群を有する食器回収システムであれば、ベルトコンベアに載っている容器と、ベルトコンベアから繰り出されて駆動ローラにより移動される容器とを隔てることが容易になる。
【００１８】
また、ベルトコンベアと昇降部との間に配置されており、ベルトコンベアから繰り出される容器の進路上にストッパを出し入れするストッパー出し入れ装置を更に備えるものであってもよい。このような食器回収システムであれば、容器の昇降装置への進入をストッパで阻んだ状態でベルトコンベアを作動させ続けることができるため、ベルトコンベアの搬送面に容器が離散的に載置された場合であっても、各容器をベルトコンベアの終端側に寄せ集めることができる。
【００１９】
また、上記の食器回収システムは、ベルトコンベアの終端に容器があり且つ昇降部に容器が無い場合、ベルトコンベアと駆動ローラを作動させてベルトコンベアの終端にあった容器を昇降部へ乗り移らせた後、昇降装置に昇降部を上昇させる制御装置を更に備えるものであってもよい。このような制御装置が備わる食器回収システムであれば、ベルトコンベアの終端にある容器を順に昇降部で昇降装置の上部へ上げることができる。
【００２０】
また、昇降装置は、昇降部が昇降する空間の上部を横切るセンサ光により物体の有無を検知する光学式センサを有しており、光学式センサが物体を検知すると昇降部の上昇を停止するものであってもよい。このような昇降装置を備える食器回収システムであれば、深さが互いに異なる大小様々な容器が用いられた場合であっても、昇降装置の上部に上がった状態における容器の上端の開口の高さを、容器の深さの大小に関わりなく一定にすることができる。
【００２１】
また、ベルトコンベアは、容器を一端側と他端側の両方向へ搬送可能であり、昇降装置は、ベルトコンベアの両端側に各々設けられていてもよい。このような食器回収システムであれば、スタッフは、ベルトコンベアの両端側の何れにおいても、上体を下すことなく容器を持ち上げることができる。
【００２２】
また、本発明は、例えば、食器を投入可能な容器が載置されるベルトコンベアの終端側に設置される昇降装置であって、ベルトコンベアから繰り出された容器が乗り移る昇降部と、昇降部を昇降させる昇降ユニットと、ベルトコンベアから繰り出されて昇降部へ乗り移る容器を支持し、ベルトコンベアから繰り出される容器が進行方向へ進むように回転する駆動ローラと、を備えるものであってもよい。
【発明の効果】
【００２３】
上記の食器回収システムおよび昇降装置であれば、搬送路上の複数箇所に離散的に載せられた容器をベルトコンベアの終端側に寄せ集め可能でありながら、ベルトコンベアの終端側に設けられた昇降装置へベルトコンベアからスムーズに乗り移らせることが可能である。
【図面の簡単な説明】
【００２４】
【図１】図１は、実施形態に係る下げ膳システムを側方から示した図である。
【図２】図２は、実施形態に係る下げ膳システムを上方から示した図である。
【図３】図３は、搬送装置の終端付近と昇降装置を拡大して示した斜視図である。
【図４】図４は、搬送装置の終端付近と昇降装置を拡大して示した内部構造図である。
【図５】図５は、搬送装置と昇降装置を制御する制御装置によって実現される処理のフローチャートを示した図である。
【図６】図６は、下げ膳システムにおいて実現されるバスボックスの動きの一例を示した第１の図である。
【図７】図７は、下げ膳システムにおいて実現されるバスボックスの動きの一例を示した第２の図である。
【図８】図８は、スタッフがバスボックスを持ち上げる作業を比較して示した図である。
【発明を実施するための形態】
【００２５】
以下、本願発明の実施形態について説明する。以下に示す実施形態は、本願発明の一態様であり、本願発明の技術的範囲を限定するものではない。下記に示す各実施形態や変形例は、例えば、寿司や飲料物、そばやうどんといった丼物、から揚げや天ぷらといった各種の飲食物を提供する飲食店に好適である。
【００２６】
図１は、実施形態に係る下げ膳システム１（本願でいう「食器回収システム」の一例である）を側方から示した図である。また、図２は、実施形態に係る下げ膳システム１を上方から示した図である。下げ膳システム１は、飲食店内において使用済みの食器を搬送するシステムであり、客席２が並ぶエリアと厨房のエリアとの境界にある壁Ｗに沿って延在する搬送路を形成する搬送装置４と、厨房３内にある搬送装置４の終端部にある昇降装置５とを有する。また、下げ膳システム１は、搬送装置４や昇降装置５を制御する図示しない制御装置を有する。下げ膳システム１の搬送装置４は、厨房３で用意された飲食物を各客席２へ搬送する注文飲食物搬送装置３０や、飲食物を循環搬送する飲食物搬送装置と干渉しないように、これら飲食物搬送装置の下側に設置されている。
【００２７】
なお、本実施形態では、使用済みの食器がバスボックス６（本願でいう「容器」の一例である）に投入された状態で搬送される場合を例に説明するが、下げ膳システム１は、バスボックス６の代わりに薄板状のトレイやその他各種形態の容器を使って食器を搬送することも可能である。また、本実施形態では、搬送装置４が直線状の搬送路を形成する場合を例に説明するが、下げ膳システム１は、搬送装置４が複数組み合わさることにより、カーブを有する非直線状の搬送路を形成するものであってもよい。
【００２８】
下げ膳システム１が設置されている店舗では、客が飲食を終えて客席２に残った使用済みの食器がバスボックス６に投入され、当該バスボックス６が壁Ｗに設けられた開口Ｈを通じて搬送装置４に載せられ、搬送装置４によって搬送される。搬送装置４は、バスボックス６が載せやすいように、搬送装置４の搬送面が床に比較的近い位置となるように設計されている。よって、客席２が並ぶエリアではバスボックス６を搬送装置４へ容易に載せることができる。また、搬送装置４の終端には昇降装置５があるため、搬送面が床に比較的近い位置となっている搬送装置４に搬送されたバスボックス６は、搬送装置４の終端で昇降装置５に乗り移った後、昇降装置５によって上昇させられる。よって、厨房３内のスタッフ７は、搬送装置４によって搬送されてきたバスボックス６を、搬送装置４の搬送面よりも高い位置で持ち上げることができる。
【００２９】
図３は、搬送装置４の終端付近と昇降装置５を拡大して示した斜視図である。また、図４は、搬送装置４の終端付近と昇降装置５を拡大して示した内部構造図である。
【００３０】
まず、搬送装置４について説明する。図３では搬送装置４の大部分が省略されているが、図３に一部が図示されている部分を見ると判るように、搬送装置４は、バスボックス６が載る搬送面を形成するベルトコンベア８を有する。ベルトコンベア８は、環状で幅広のベルトと、ベルトを駆動する図示しないモータとを有する装置である。また、搬送装置４は、ベルトコンベア８が形成する搬送路の終端付近に、ベルトコンベア８に載置されている物体の有無を検知するセンサ１０を有する。また、搬送装置４は、ベルトコンベア８が形成する搬送路の終端に延設されており、ベルトコンベア８から繰り出されて昇降装置５へ乗り移るバスボックス６を支持可能な５つの遊転ローラ９を有する。また、搬送装置４は、ベルトコンベア８から繰り出されて昇降装置５へ乗り移るバスボックス６の進路を規定するガイドプレート１３を、周面が滑らかで摩擦の少ない遊転ローラ９が配置されている部分の両側に有する。
【００３１】
また、搬送装置４は、ベルトコンベア８と昇降装置５との間に配置されており、搬送装置４から昇降装置５へ繰り出されるバスボックス６の進路上に出し入れされるストッパ１９と、ストッパ１９を昇降させるストッパ出し入れ装置２０とを有する。ストッパ１９は、５つある遊転ローラ９のうちベルトコンベア８側から４番目の遊転ローラ９及び５番目の遊転ローラ９の間から出し入れされる。ストッパ出し入れ装置２０がストッパ１９を昇降範囲の上限位置にすると、ストッパ１９は、搬送装置４から昇降装置５へ繰り出されるバスボックス６の進路上に突き出た状態となる。また、ストッパ出し入れ装置２０がストッパ１９を昇降範囲の下限位置にすると、ストッパ１９は、搬送装置４から昇降装置５へ繰り出されるバスボックス６の進路上から退いた状態となる。よって、搬送装置４から昇降装置５へ繰り出されるバスボックス６の進行は、ストッパ１９が下限位置にある場合は許容され、ストッパ１９が上限位置にある場合はストッパ１９によって妨げられる。
【００３２】
次に、昇降装置５について説明する。昇降装置５は、バスボックス６を載せて昇降させる昇降プレート部１５（本願でいう「昇降部」の一例である）を有する。昇降プレート部１５は、上下方向に延在するガイド溝１４に嵌る図示しない嵌合部を四隅付近に有しており、当該ガイド溝１４の軌道に沿って昇降する。昇降プレート部１５は、上面視矩形状のフレーム１６と、フレーム１６に配列される遊転ローラ１７とを有する。遊転ローラ１７は、搬送装置４側からその反対側へ向かうにつれて徐々に下がるように配列されており、実質的にやや傾斜した載置面を形成する。よって、搬送装置４から昇降プレート部１５へ乗り移ったバスボックス６は、昇降プレート部１５に載った状態で保持される。また、昇降装置５は、昇降プレート部１５が昇降範囲の下限位置にある状態で昇降プレート部１５に載置されている物体の有無を検知するセンサ１２と、昇降プレート部１５が昇降範囲の上限位置にある状態で昇降プレート部１５に載置されている物体の有無を検知するセンサ
１１とを有する。
【００３３】
また、昇降装置５は、昇降プレート部１５を昇降させる昇降ユニット２１を有する。昇降ユニット２１は、昇降プレート部１５の下側に設けられており、昇降ユニット２１を上へ押し上げるように昇降させる。昇降ユニット２１は、２本の噛み合いチェーン２３と、噛み合いチェーン２３を上方向へ繰り出したり繰り下げたりするチェーン駆動部２２とを有する。噛み合いチェーン２３は、互いに噛み合わされると棒状の形態を維持するチェーンである。チェーン駆動部２２は、モータや変速機構を内蔵しており、２本の噛み合いチェーン２３同士を互いに噛み合わせた状態で上方向へ繰り出したり、２本の噛み合いチェーン２３同士の噛み合わせを解除しながら各々を左右別々の方向へ繰り出したりする。なお、昇降装置５は、２本の噛み合いチェーン２３を使った形態に限定されるものでなく、例えば、ボールスクリューやエアシリンダーといった他の機構を使った形態であってもよい。
【００３４】
以下、下げ膳システム１の制御装置が実行する処理フローについて説明する。図５は、搬送装置４と昇降装置５を制御する制御装置によって実現される処理のフローチャートを示した図である。制御装置は、客席２が並ぶエリアの開口Ｈ付近に設置されている操作ボタンにおいて搬送開始操作が行われたことを検知すると、ベルトコンベア８を作動させる。そして、制御装置は、ベルトコンベア８の終端にあるセンサ１０で物体が検知されたか否かの判定を行う（Ｓ１０１）。
【００３５】
例えば、何れかの客席２で使用済みの食器がバスボックス６に投入された後、当該バスボックス６がベルトコンベア８に載せられて搬送装置４が作動すると、当該バスボックス６はやがてセンサ１０が設けられている部位に到着する。センサ１０が設けられている部位にバスボックス６が到着すると、センサ１０がバスボックス６を検知するため、ステップＳ１０１では肯定判定が行われる。
【００３６】
制御装置は、ステップＳ１０１で肯定判定を行うと、次に、昇降装置５がスタンバイしているか否かの判定を行う（Ｓ１０２）。制御装置は、昇降装置５にある昇降プレート部１５が可動範囲の下限位置にあり、且つ、センサ１２が物体を検知していない場合、ステップＳ１０２で肯定判定を行う。
【００３７】
制御装置は、ステップＳ１０２で肯定判定を行うと、次に、ストッパ出し入れ装置２０でストッパ１９を動かして可動範囲の下限位置へ下降させる（Ｓ１０３）。ストッパ１９が可動範囲の下限位置へ下降すると、遊転ローラ９の上はバスボックス６が通過可能な状態になる。
【００３８】
次に、制御装置は、ベルトコンベア８と駆動ローラ１８を作動させる（Ｓ１０４）。ベルトコンベア８と駆動ローラ１８が作動すると、ベルトコンベア８に載っているバスボックス６は、ベルトコンベア８から遊転ローラ９の上を経由して昇降プレート部１５へ乗り移る。ベルトコンベア８から駆動ローラ１８へ乗り移ったバスボックス６は、ベルトコンベア８から離れた後も駆動ローラ１８の回転力を受けてそのまま進み、昇降プレート部１５の上へ移動する。そして、バスボックス６は、昇降プレート部１５へ乗り移って駆動ローラ１８から離れると、昇降プレート部１５の上で停まる。
【００３９】
制御装置は、昇降装置５の下部にあるセンサ１２で物体が検知されたか否かの判定を行う（Ｓ１０５）。そして、バスボックス６がベルトコンベア８から昇降プレート部１５へ乗り移ることにより、センサ１２がバスボックス６を検知すると、制御装置は、ステップＳ１０５で肯定判定を行う。
【００４０】
制御装置は、ステップＳ１０５で肯定判定を行うと、チェーン駆動部２２で昇降プレート部１５を動かして可動範囲の上限位置へ上昇させると共に、ストッパ出し入れ装置２０にストッパ１９を可動範囲の上限位置へ上昇させる（Ｓ１０６）。ストッパ１９が可動範囲の上限位置へ上昇すると、遊転ローラ９の上はバスボックス６が通過不能な状態になる。また、昇降プレート部１５が可動範囲の上限位置へ上昇すると、昇降プレート部１５に載っているバスボックス６は、昇降装置５の上部に到達する。よって、スタッフ７は、上体を下すことなく、昇降装置５の上部に到達したバスボックス６を持ち上げることができる。
【００４１】
制御装置は、チェーン駆動部２２に昇降プレート部１５を可動範囲の上限位置へ上昇させた後、昇降装置５の上部にあるセンサ１１で物体が検知されているか否かの判定を行う（Ｓ１０７）。昇降プレート部１５が可動範囲の上限位置にあり且つ昇降プレート部１５にバスボックス６が載置されている場合、センサ１１はバスボックス６を検知する。また、バスボックス６が昇降プレート部１５から持ち上げられて昇降プレート部１５に載置されていない場合、センサ１１はバスボックス６を検知しない。よって、本ステップＳ１０７において、バスボックス６がセンサ１１に載置されている間はセンサ１１がバスボックス６を検知し続けるため、制御装置は、肯定判定を行うことになる。そして、本ステップＳ１０７において、バスボックス６がセンサ１１から持ち上げられると、センサ１１がバスボックス６を検知しなくなるため、制御装置は、否定判定を行うことになる。
【００４２】
制御装置は、ステップＳ１０７で否定判定を行った後、チェーン駆動部２２に昇降プレート部１５を可動範囲の下限位置へ下降させる（Ｓ１０８）。昇降プレート部１５が可動範囲の下限位置に到達し且つセンサ１２が物品を検知していなければ、前述のステップＳ１０２の解説で述べたように、昇降装置５は、バスボックス６を受け入れ可能な状態、すなわち、スタンバイ状態となる。
【００４３】
下げ膳システム１の制御装置が上記一連の処理フローを実行することによって実現されるバスボックス６の動きの一例を以下に示す。図６は、下げ膳システム１において実現されるバスボックス６の動きの一例を示した第１の図である。また、図７は、下げ膳システム１において実現されるバスボックス６の動きの一例を示した第２の図である。
【００４４】
例えば、複数箇所の客席２で使用済みの食器がバスボックス６へ投入され、複数箇所の開口Ｈを通じてベルトコンベア８に複数のバスボックス６が連続的または離散的に載置された場合、これら複数のバスボックス６を載せたベルトコンベア８が作動すると、ベルトコンベア８の終端には複数のバスボックス６が連なった状態で並ぶ（図６（Ａ）と図７（Ａ）を参照）。そして、ベルトコンベア８の終端にあるセンサ１０がバスボックス６を検知するため、上述したステップＳ１０１では肯定判定が行われる。
【００４５】
上述したステップＳ１０１で肯定判定が行われた後にステップＳ１０２でも肯定判定が行われると、ステップＳ１０３が実行されてストッパ１９が可動範囲の下限位置へ下降する。よって、遊転ローラ９の上はバスボックス６が通過可能な状態となり、続けてステップＳ１０４が実行されてベルトコンベア８と駆動ローラ１８が作動することにより、バスボックス６がベルトコンベア８から遊転ローラ９の上を経由して昇降プレート部１５の方へ移動する（図６（Ｂ）と図７（Ｂ）を参照）。このとき、駆動ローラ１８が作動している間の適当なタイミングでベルトコンベア８が停止することにより、ベルトコンベア８に連なって載置されていた複数のバスボックス６のうち最も昇降装置５側にあったバスボックス６が、隣接している他のバスボックス６から徐々に離れて昇降プレート部１５の上へ移動する（図６（Ｃ）と図７（Ｃ）を参照）。そして、バスボックス６は、昇降プレート部１５へ乗り移って駆動ローラ１８から離れると、昇降プレート部１５の上で停まる。
【００４６】
バスボックス６がベルトコンベア８から昇降プレート部１５へ乗り移ったことがセンサ１２で検知され、上述したステップＳ１０５の処理が実行されてストッパ１９が可動範囲の上限位置になると、ベルトコンベア８に載置されているバスボックス６の進路上にストッパ１９が突き出た状態となり、遊転ローラ９の上はバスボックス６が通過不能な状態になる（図６（Ｄ）と図７（Ｄ）を参照）。そして、上述したステップＳ１０６の処理が実行されて昇降プレート部１５が可動範囲の上限位置へ移動することにより、昇降プレート部１５に載っているバスボックス６が昇降装置５の上部に到達する。
【００４７】
本実施形態に係る下げ膳システム１は、使用済みの食器をバスボックス６に投入して客席２から厨房３へベルトコンベア８で搬送する形態となっているため、食器を一纏めにして搬送することができる。また、本実施形態に係る下げ膳システム１は、使用済みの食器をベルトコンベア８で搬送する形態であるため、例えば、客席沿いに設けられた水路に食器を投入して水流で搬送する形態のように、水路が食器で詰まるのを防ぐために、水路に食器を少量ずつ投入する必要もない。すなわち、本実施形態に係る下げ膳システム１であれば、客席に残る使用済みの食器を速やかに片付け可能でありながら、食器を客席２から厨房３へ運ぶ作業を省力化することができる。
【００４８】
また、本実施形態に係る下げ膳システム１には昇降装置５が備わっているため、例えば、衛生上の都合、店舗内の美観、店舗内に設置される他の機器とのスペースの都合、その他各種の理由により、バスボックス６を載せる搬送面が床に比較的近い位置となるように搬送装置４が設計されていても、このような低い位置からバスボックス６を持ち上げる作業が不要である。
【００４９】
また、本実施形態に係る下げ膳システム１では、ベルトコンベア８の終端に延設される複数の遊転ローラ９が備わっており、この遊転ローラ９群を間に挟むようにして駆動ローラ１８がベルトコンベア８の終端に延設されているため、駆動ローラ１８を作動させたままの状態でベルトコンベア８を停止させるか、或いは、駆動ローラ１８をベルトコンベア８よりも速い速度で作動させることにより、仮にベルトコンベア８上でバスボックス６が連なっている場合であっても、昇降装置５に最も近い位置にあるバスボックス６を他のバスボックス６から離すことができる。よって、本実施形態の下げ膳システム１であれば、例えば、複数箇所の客席２で同時期に客が退席することにより、使用済みの食器が投入されたバスボックス６がベルトコンベア８の搬送面の複数箇所に開口Ｈを通じて離散的に載せられた状態となっても、スタッフがベルトコンベア８に載っているバスボックス６を昇降装置５の方へ押したり或いはベルトコンベア８を作動させることにより、ベルトコンベア８上で離散的に載置された状態のバスボックス６を図６（Ａ）や図７（Ａ）に示したようにベルトコンベア８の終端側でストッパ１９に当てて集めることができる。そして、ベルトコンベア８の終端に集まって隙間なく連なった複数のバスボックス６を、昇降装置５に最も近いバスボックス６から順に１つずつ他のバスボックス６と隔てて昇降装置５の昇降プレート部１５へ乗り移らせ、昇降装置５の上部に上昇させることができる。
【００５０】
また、上記実施形態の下げ膳システム１では、ベルトコンベア８の終端に延設される複数の遊転ローラ９のうち何れか隣り合うベルトコンベア８の間からストッパ１９が突き出る形態となっているため、バスボックス６の進行がストッパ１９に妨げられている状態でベルトコンベア８を作動し続けた場合であっても、当該ストッパ１９に接触しているバスボックス６の底面のうち遊転ローラ９で支持されている部位については、バスボックス６の底面とベルトコンベア８の搬送面との間に生ずるような摩擦力が発生しないため、例えば、ストッパ１９がベルトコンベア８の終端に設けられている場合に比べると、バスボックス６の底面とバスボックス６の搬送面との間に生ずる摩擦力に抗してベルトコンベア８を作動させ続けたい場合であってもベルトコンベア８の駆動部の動力の大きさを小さくすることができる。したがって、ベルトコンベア８の駆動部の大型化に迫られる可能性を抑
制することができる。
【００５１】
図８は、スタッフ７がバスボックス６を持ち上げる作業を比較して示した図である。図８に示す比較例は、下げ膳システム１から昇降装置５や遊転ローラ９が省略されており、ベルトコンベア８に相当するベルトコンベア１０８を有する搬送装置１０４が備わった下げ膳システム１０１である。比較例に係る下げ膳システム１０１には、昇降装置５に相当するものが備わっていないため、スタッフ７は、ベルトコンベア１０８に載置されているバスボックス６を持ち上げる場合、上体を下す必要がある。一方、図８に示す実施形態と比較例とを見比べると判るように、本実施形態に係る下げ膳システム１には、昇降装置５が備わっているため、スタッフ７は、上体を下すことなくバスボックス６を持ち上げることができる。よって、実施形態の場合、比較例に比べると、バスボックス６に投入されている使用済みの食器を洗浄する作業を行うスタッフ７の負担を低減することが可能となる。
【００５２】
なお、上記実施形態では、搬送装置４が搬送路を壁Ｗに沿って延在するように形成する形態を採っていたが、搬送装置４は、例えば、各客席２の横を通る搬送路を形成し、客席２から厨房３へ至る搬送路を形成するものであってもよい。また、上記実施形態では、各客席２の食器をバスボックス６に入れて搬送する形態について説明したが、バスボックス６は、例えば、食器用、残飯等のゴミ用、グラス等のガラス製食器用など、収納する物の種類毎に区分して使用してもよい。
【００５３】
また、上記実施形態の下げ膳システム１では、昇降プレート部１５が上限位置で停止するようになっていたが、例えば、センサ１１で物体を検知した場合に昇降プレート部１５の上昇を停止させてもよい。センサ１１で物体を検知した場合に昇降プレート部１５の上昇を停止させるものであれば、例えば、深さが互いに異なる大小様々なバスボックス６が用いられた場合であっても、昇降装置５の上部に上がった状態におけるバスボックス６の上端の開口の高さを、バスボックス６の深さの大小に関わりなく一定にすることができる。
【００５４】
また、上記実施形態の下げ膳システム１では、搬送装置４の終端側に昇降装置５を設けた形態であったが、下げ膳システム１は、例えば、搬送装置４が両方向に作動可能であり、搬送装置４の両端側に各々昇降装置５を設けた形態であってもよい。下げ膳システム１がこのような形態であれば、スタッフ７は、ベルトコンベア８の両端側の何れにおいても、上体を下すことなくバスボックス６を持ち上げることができる。
【符号の説明】
【００５５】
Ｗ・・壁
Ｈ・・開口
１，１０１・・下げ膳システム
２・・客席
３・・厨房
４，１０４・・搬送装置
５・・昇降装置
６・・バスボックス
７・・スタッフ
８，１０８・・ベルトコンベア
９・・遊転ローラ
１０，１１，１２・・センサ
１３・・ガイドプレート
１４・・ガイド溝
１５・・昇降プレート部
１６・・フレーム
１７・・遊転ローラ
１８・・駆動ローラ
１９・・ストッパ
２０・・ストッパ出し入れ装置
２１・・昇降ユニット
２２・・チェーン駆動部
２３・・噛み合いチェーン
３０・・注文飲食物搬送装置
【図１】
2020006042.tif 000003
【図２】
2020006042.tif 000004
【図３】
2020006042.tif 000005
【図４】
2020006042.tif 000006
【図５】
2020006042.tif 000007
【図６】
2020006042.tif 000008
【図７】
2020006042.tif 000009
【図８】
2020006042.tif 000010